(57)【要約】【課題】ユーザの操作態様に柔軟性を持たせつつ、操作を容易にすることができる表示装置を提供する。【解決手段】表示装置１は、表示領域Ｐを有する表示パネルと、画像の表示面に平行な上面及び上面に接続される側面を有する透明カバー１６と、タッチパネルと、表示パネル及びタッチパネルを格納する筐体１７とを備える。タッチパネルは、透明カバー１６の上面の外周線の少なくとも一部において対象物の接触又は接近を検知可能である。タッチパネルにより対象物の接触又は接近が検知可能な透明カバー１６の外周線の一部において、外周線が内側へ凹むか又は外側へ突出する部分が変形部１６ａとして形成される。【選択図】図１
2017107252.tif 000002
【特許請求の範囲】
【請求項１】
画像を表示する表示領域を有する表示パネルと、
前記表示領域に重畳して設けられ、前記画像の表示面に平行な上面及び前記上面に接続される側面を有する透明カバーと、
前記透明カバーに対する対象物の接触又は接近を検知するタッチパネルと、
前記表示パネル及び前記タッチパネルを格納する筐体とを備え、
前記タッチパネルは、前記透明カバーの前記上面の外周における前記上面と前記側面との境界線である外周線の少なくとも一部において対象物の接触又は接近を検知可能であり、
前記タッチパネルにより対象物の接触又は接近が検知可能な前記透明カバーの前記外周線の一部において、前記外周線が内側へ凹むか又は外側へ突出する部分が変形部として形成される、表示装置。
【請求項２】
前記タッチパネルは、透明カバーに重畳して設けられる複数の第１電極及び複数の第２電極を有し、前記第１電極と前記第２電極との間の容量を検出することにより、前記透明カバーに対する対象物の接触又は接近を検知し、
前記変形部における対象物の接触又は接近を検知するための第１電極及び第２電極の形状又はピッチは、他の部分における第１電極及び第２電極の形状又はピッチと異なる、請求項１に記載の表示装置。
【請求項３】
前記タッチパネルで検知された対象物の接触又は接近に基づいて、前記表示パネルで表示する画像を制御する表示制御部をさらに備え、
前記表示制御部は、前記透明カバーの前記変形部において検知された対象物の接触又は接近に応じた画像を、前記表示領域の前記変形部に対応する箇所に表示させる、請求項１又は２に記載の表示装置。
【請求項４】
前記筐体の前記透明カバーの変形部に対応する部分は、前記変形部の形状に沿って内側へ凹むか外側へ突出するよう形成される、請求項１〜３のいずれに１項に記載の表示装置。
【請求項５】
前記透明カバーの前記側面は曲面で形成される、請求項１〜４のいずれか１項に記載の表示装置。
【請求項６】
前記透明カバーは、着脱可能である、請求項１〜５のいずれか１項に記載の表示装置。
【請求項７】
前記タッチパネルは、前記透明カバーが装着されると、前記透明カバーの装着及び前記変形部の位置を検出する、請求項６に記載の表示装置。
【請求項８】
前記変形部は、前記透明カバーの上面の外周において１箇所にのみ形成される、請求項１〜７のいずれか１項に記載の表示装置。
【請求項９】
画像を表示する表示領域を有する表示パネルと、
前記表示領域に重畳して設けられる透明カバーと、
前記透明カバーに重畳して設けられる複数の第１電極及び複数の第２電極を有し、前記第１電極と前記第２電極との間の容量を検出することにより、前記透明カバーに対する対象物の接触又は接近を検知するタッチパネルと、を備え、
前記透明カバーは、前記画像の表示面に平行な上面と、前記上面に接続される側面を有し、
前記透明カバーの前記上面の外周における前記上面と前記側面との境界線である外周線の一部が内側へ凹むか又は外側へ突出して形成される変形部か、或は、前記上面の前記外周線の内側に設けられる、前記上面と前記側面との境界線である内周線により形成される変形部を含み、
前記変形部における対象物の接触又は接近を検知するための第１電極及び第２電極の形状又はピッチは、他の部分における第１電極及び第２電極の形状又はピッチと異なる、表示装置。
【請求項１０】
画像を表示する表示領域を有する表示パネルと、
前記表示領域に重畳して設けられる透明カバーと、
前記透明カバーに重畳して設けられる複数の第１電極及び複数の第２電極を有し、前記第１電極と前記第２電極との間の容量を検出することにより、前記透明カバーに対する対象物の接触又は接近を検知するタッチパネルと、
前記タッチパネルで検知された対象物の接触又は接近に基づいて、前記表示パネルで表示する画像を制御する表示制御部と、を備え、
前記透明カバーは、前記画像の表示面に平行な上面と、上面と平行でない側面を有し、
前記透明カバーの前記上面の外周における前記上面と前記側面との境界線である外周線の一部が内側へ凹むか又は外側へ突出して形成される変形部か、或は、前記上面の前記外周線の内側に設けられる、前記上面と前記側面との境界線である内周線により形成される変形部を含み、
前記表示制御部は、前記透明カバーの前記変形部において検知された対象物の接触又は接近に応じた画像を、前記表示領域の前記変形部に対応する箇所に表示させる、表示装置。
【請求項１１】
請求項１〜１０のいずれか１項に記載の表示装置を備えた、電子機器。
【発明の詳細な説明】
【技術分野】
【０００１】
本願開示は、タッチパネルを有する表示装置において対象物の接触又は接近を検知する技術に関する。
【背景技術】
【０００２】
スマートフォンやタブレット等の表示装置にはタッチパネルが設けられる。これにより、ユーザは、タッチパネルを備える表示装置の画面に軽く触れることで操作が可能となる。しかし、ユーザは、操作の際、意図しない箇所に触れて誤入力することが度々ある。そのため、ユーザは、画面を注視して操作する必要がある。
【０００３】
ユーザの操作を容易にするための技術として、例えば、下記特許文献１では、タッチスクリーンを備えた携帯機器に取り付けられる覆いが記載されている。この覆いは、開口部又はボタンを有し、携帯機器のユーザインターフェースの少なくとも一部を覆う位置に取り付けられる。
【０００４】
また、下記特許文献２では、タッチスクリーンを有するタブレットスマートフォンのための外部カバーが開示されている。この外部カバーにキーボードを形成し、このキーボードを、タッチスクリーンに表示される仮想キーボードに対応させることが記載されている。
【先行技術文献】
【特許文献】
【０００５】
【特許文献１】米国特許第８３２５１５０号明細書
【特許文献２】米国特許出願公開第２０１０／０２３８１１９号明細書
【発明の概要】
【発明が解決しようとする課題】
【０００６】
上記従来技術では、ユーザの操作位置及び入力形態が固定されるため、多種多少な操作方法には対応できない。そこで、本願は、ユーザの操作態様に柔軟性を持たせつつ、操作を容易にすることができる表示装置を開示する。
【課題を解決するための手段】
【０００７】
本願開示の表示装置は、画像を表示する表示領域を有する表示パネルと、前記表示領域に重畳して設けられ、前記画像の表示面に平行な上面及び前記上面に接続される側面を有する透明カバーと、前記透明カバーに対する対象物の接触又は接近を検知するタッチパネルと、前記表示パネル及び前記タッチパネルを格納する筐体とを備える。前記タッチパネルは、前記透明カバーの前記上面の外周における前記上面と前記側面との境界線である外周線の少なくとも一部において対象物の接触又は接近を検知可能である。前記タッチパネルにより対象物の接触又は接近が検知可能な前記透明カバーの前記外周線の一部において、前記外周線が内側へ凹むか又は外側へ突出する部分が変形部として形成される。
【発明の効果】
【０００８】
本願開示によれば、ユーザの操作態様に柔軟性を持たせつつ、操作を容易にすることができる表示装置が実現できる。
【図面の簡単な説明】
【０００９】
【図１】図１は、実施形態１における表示装置１の斜視図である。
【図２】図２は、図１に示す表示装置１の平面図である。
【図３Ａ】図３Ａは、図１及び図２に示す表示装置１のＡ−Ａ線断面図である。
【図３Ｂ】図３Ｂは、図１及び図２に示す表示装置１のＢ−Ｂ線断面図である。
【図４】図４は、図３Ｂに示す断面の一部を拡大した図である。
【図５】図５は、筐体１７及び透明カバー１６の変形例を示す断面図である。
【図６】図６は、筐体１７及び透明カバー１６の他の変形例を示す断面図である。
【図７】図７は、透明カバー１６の斜視図である。
【図８Ａ】図８Ａは、着脱可能な透明カバー１６を備える表示装置１の構成例を示す断面図である。
【図８Ｂ】図８Ｂは、図８Ａに示す構成において、透明カバー１６を取り外した状態を示す図である。
【図９】図９は、実施形態２における表示装置１の斜視図である。
【図１０】図１０は、図９に示す表示装置１の平面図である。
【図１１Ａ】図１１Ａは、図９及び図１０に示す表示装置１のＡ−Ａ線断面図である。
【図１１Ｂ】図１１Ｂは、図９及び図１０に示す表示装置１のＢ−Ｂ線断面図である。
【図１２】図１２は、図１０における変形部１６ａ周辺の拡大図である。
【図１３】図１３は、図９及び図１０に示す表示装置１の変形例を示す透視平面図である。
【図１４】図１４は、図９及び図１０に示す表示装置１の変形例を示す透視平面図である。
【図１５】図１５は、図９及び図１０に示す表示装置１の変形例を示す透視平面図である。
【図１６】図１６は、図９及び図１０に示す表示装置１の変形例を示す透視平面図である。
【図１７】図１７は、実施形態３における表示装置１の透視平面図である。
【図１８】図１８は、図１７に示す表示装置１の変形例を示す透視平面図である。
【図１９】図１９は、大きさ及びピッチが異なる電極パッド３１、３２の詳細な構成例を示す図である。
【図２０Ａ】図２０Ａは、透明カバー１６上の指の動きを検知する場面の一例を示す図である。
【図２０Ｂ】図２０Ｂは、電極パッド３１ｂ、３２ｂの幅Ｗ２及び電極パッド３１ｂ、３２ｂ間の距離Ｐ２が、図２０Ａに示す例よりも短い場合の例を示す図である。
【図２１】図２１は、図１７又は図１８に示す表示装置１の変形部１６ａ付近の断面図である。
【図２２】図２２は、実施形態４における表示装置１の構成例を示す機能ブロック図である。
【図２３Ａ】図２３Ａは、変形部１６ａにおいて検知された指の接触に応じた画像の表示例を示す図である。
【図２３Ｂ】図２３Ｂは、変形部１６ａにおいて検知された指の接触に応じた画像の表示例を示す図である。
【図２３Ｃ】図２３Ｃは、変形部１６ａにおいて検知された指の接触に応じた画像の表示例を示す図である。
【図２４】図２４は、表示制御部３０の構成例を示す機能ブロックである。
【図２５】図２５は、図２４に示す表示制御部３０による動作例を示すフローチャートである。
【図２６】図２６は、上面１６ｕの内周で形成される変形部１６ａを設けた場合の構成例を示す図である。
【図２７】図２７は、図２６に示す表示装置１の平面図である。
【図２８】図２８は、図２７に示す表示装置１のＡ−Ａ線断面図である。
【図２９】図２９は、図２６に示す表示装置の変形例を示す図である。
【図３０】図３０は、図２６に示す表示装置の変形例を示す図である。
【図３１】図３１は、図２６に示す表示装置の変形例を示す図である。
【図３２】図３２は、図２６に示す表示装置の変形例を示す図である。
【図３３】図３３は、図２３Ａに示す画像の表示例を、図２６〜図２８に示す表示装置に適用した場合の表示例を示す図である。
【図３４】図３４は、図２３Ｂに示す画像の表示例を、図２６〜図２８に示す表示装置に適用した場合の表示例を示す図である。
【図３５】図３５は、図２３Ｃに示す画像の表示例を、図２６〜図２８に示す表示装置に適用した場合の表示例を示す図である。
【図３６】図３６は、変形部１６ａの内側の領域における対象物の動きに応じて、カーソルの位置を変化させる場合の例を示す図である。
【発明を実施するための形態】
【００１０】
本発明の一実施形態における表示装置は、画像を表示する表示領域を有する表示パネルと、前記表示領域に重畳して設けられ、前記画像の表示面に平行な上面及び前記上面に接続される側面を有する透明カバーと、前記透明カバーに対する対象物の接触又は接近を検知するタッチパネルと、前記表示パネル及び前記タッチパネルを格納する筐体とを備える。前記タッチパネルは、前記透明カバーの前記上面の外周における前記上面と前記側面との境界線である外周線の少なくとも一部において対象物の接触又は接近を検知可能である。前記タッチパネルにより対象物の接触又は接近が検知可能な前記透明カバーの前記外周線の一部において、前記外周線が内側へ凹むか又は外側へ突出する部分が変形部として形成される。この表示装置の構成例を構成１とする。
【００１１】
構成１において、ユーザは、透明カバーの変形部に、指またはペン等の指示具を接触又は接近させることにより、表示装置を操作することができる。その際、ユーザは、表示画面を注視しなくても、透明カバーの変形部の位置を容易に特定することができる。そのため、ユーザは、透明カバーの端部の変形部を使って容易に表示装置を操作することができる。また、タッチパネルは、変形部における対象物の位置及び動きを検出することができる。そのため、例えば、変形部の一部をタッチする動作や、変形部に沿って特定の方向に指を動かす動作等、様々な動作を、変形部を介して検知することができる。その結果、ユーザの操作態様に柔軟性を持たせることができる。
【００１２】
上記構成１において、前記タッチパネルは、透明カバーに重畳して設けられる複数の第１電極及び複数の第２電極を有し、前記第１電極と前記第２電極との間の容量を検出することにより、前記透明カバーに対する対象物の接触又は接近を検知する構成とすることができる。前記変形部における対象物の接触又は接近を検知するための第１電極及び第２電極の形状又はピッチは、他の部分における第１電極及び第２電極の形状又はピッチと異なるように形成できる。これにより、変形部及びそれ以外の領域の各々において、対象物の接触又は接近を適切に検知できる電極構成が可能になる。
【００１３】
上記構成１において、前記タッチパネルで検知された対象物の接触又は接近に基づいて、前記表示パネルで表示する画像を制御する表示制御部をさらに備えることができる。前記表示制御部は、前記透明カバーの前記変形部において検知された対象物の接触又は接近に応じた画像を、前記表示領域の前記変形部分に対応する箇所に表示させることができる。これにより、ユーザは、変形部に対する操作の効果を認識しやすくなる。また、ユーザの操作態様の柔軟性をさらに向上させることができる。
【００１４】
本発明の一実施形態における表示装置は、画像を表示する表示領域を有する表示パネルと、前記表示領域に重畳して設けられる透明カバーと、前記透明カバーに重畳して設けられる複数の第１電極及び複数の第２電極を有し、前記第１電極と前記第２電極との間の容量を検出することにより、前記透明カバーに対する対象物の接触又は接近を検知するタッチパネルと、を備える。前記透明カバーは、前記画像の表示面に平行な上面と、前記上面に接続される側面を有する。表示装置は、前記透明カバーの前記上面の外周における前記上面と前記側面との境界線である外周線の一部が内側へ凹むか又は外側へ突出して形成される変形部か、或は、前記上面の前記外周線の内側に設けられる、前記上面と前記側面との境界線である内周線により形成される変形部を含む。前記変形部における対象物の接触又は接近を検知するための第１電極及び第２電極の形状又はピッチは、他の部分における第１電極及び第２電極の形状又はピッチと異なる。この表示装置の構成例を構成２とする。
【００１５】
構成２において、透明カバーにおいて、上面と側面の境界線の一部に形成された変形部において、ユーザの操作を精度よく検知することができる。ユーザは、変形部に指又は指示具で接触又は接近させることで、表示装置を操作することができる。そのため、ユーザは、表示画面を注視しなくても操作位置を特定することができ、操作が容易になる。また、変形部に対する様々な動作を高精度で検知することができるので、ユーザの操作態様に柔軟性を持たせることができる。
【００１６】
本発明の一実施形態における表示装置は、画像を表示する表示領域を有する表示パネルと、前記表示領域に重畳して設けられる透明カバーと、前記透明カバーに重畳して設けられる複数の第１電極及び複数の第２電極を有し、前記第１電極と前記第２電極との間の容量を検出することにより、前記透明カバーに対する対象物の接触又は接近を検知するタッチパネルと、前記タッチパネルで検知された対象物の接触又は接近に基づいて、前記表示パネルで表示する画像を制御する表示制御部と、を備える。前記透明カバーは、前記画像の表示面に平行な上面と、上面と平行でない側面を有する。表示装置は、前記透明カバーの前記上面の外周における前記上面と前記側面との境界線である外周線の一部が内側へ凹むか又は外側へ突出して形成される変形部か、或は、前記上面の前記外周線の内側に設けられる、前記上面と前記側面との境界線である内周線により形成される変形部を含む。前記表示制御部は、前記透明カバーの前記変形部において検知された対象物の接触又は接近に応じた画像を、前記表示領域の前記変形部に対応する箇所に表示させる。この表示装置の構成例を構成３とする。
【００１７】
構成３において、透明カバーにおいて、上面と側面の境界線の一部に形成された変形部におけるユーザの操作を検知することができる。さらに変形部におけるユーザの操作に応じて、変形部に対応する箇所の表示を制御することができる。そのため、ユーザの操作が容易になる。また、変形部に対する様々な動作を検知し、動作に応じた表示制御ができるので、ユーザの操作態様に柔軟性を持たせることができる。
【００１８】
上記構成２及び３における透明カバーの側面は、上面の外周を形成する外周線に接続される側面であってもよいし、上面の内周を形成する内周線に接続される側面であってもよい。例えば、透明カバーの上面に囲まれるように形成された凹部又は凸部における側面も、透明カバーの側面の一態様である。
【００１９】
上記構成１〜３のいずれかにおいて、前記筐体の前記透明カバーの変形部に対応する部分は、前記変形部の形状に沿って内側へ凹むか外側へ突出するよう形成することができる。これにより、表示装置の形状を変形部に沿って変形することができる。そのため、ユーザによる変形部の位置の認識がさらに容易になる。
【００２０】
上記構成１〜３のいずれかにおいて、前記透明カバーの側面は曲面で形成することができる。これにより、ユーザは、変形部に対する操作がしやすくなる。また、表示領域から出射される光の方向を制御することができる。例えば、表示領域の画像を拡大してユーザに見せることができる。
【００２１】
上記構成１〜３のいずれかにおいて、前記透明カバーは、着脱可能に構成することができる。これにより、ユーザは、透明カバーの変形部を用いた入力機能の有無を選択することができる。
【００２２】
前記タッチパネルは、前記透明カバーが装着されると、前記透明カバーの装着及び前記変形部の位置を検出するよう構成することができる。これにより、表示装置は、透明カバーの変形部の位置を自動的に認識し、変形部に対する操作を検出可能な状態にすることができる。そのため、ユーザの操作負担が軽減される。
【００２３】
上記構成１〜３又のいずれかにおいて、前記変形部は、前記透明カバーの上面の外周において１箇所にのみ形成される構成であってもよい。この場合、ユーザは、変形部の位置をより認識しやすくなる。
【００２４】
上記構成１〜３のいずれかを含む表示装置を備えた電子機器も、本発明の実施形態に含まれる。
【００２５】
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２６】
＜実施形態１＞
（表示装置１の構成例）
図１は、実施形態１における表示装置１の斜視図である。図２は、図１に示す表示装置１の平面図である。図３Ａは、図１及び図２に示す表示装置１のＡ−Ａ線断面図である。図３Ｂは、図１及び図２に示す表示装置１のＢ−Ｂ線断面図である。
【００２７】
図１に示すように、表示装置１は、表示パネル及びタッチパネルを格納する筐体１７と、画像が表示される面を覆う透明カバー（透光性カバー）１６を備える。図１及び図２において、表示パネルにおける表示領域Ｐを点線で示す。表示領域Ｐは、画像を表示するための画素が配置される領域である。透明カバー１６は、表示領域Ｐに重畳して設けられる。透明カバー１６は、表示領域Ｐで表示される画像の表示面に平行な上面１６ｕを有する。
【００２８】
図１及び図２に示すように、透明カバー１６の上面１６ｕの外周を形成する外周線１６ｕｔの一部（１６ａ）は、上面に垂直な方向（ｚ方向）から見た場合に（すなわち平面視で）内側に凹んでいる。ここで、外周線１６ｕｔは、上面１６ｕの外周における上面１６ｕと側面１６ｒとの境界線である。側面１６ｒは、上面１６ｕと平行でない面で形成される。この透明カバー１６の外周線１６ｕｔにおいて内側に凹んだ部分（１６ａ）を変形部１６ａと称する。この例では、変形部１６ａは、透明カバー１６の上面１６ｕの外周線１６ｕｔの一部が内側にえぐれた凹部として形成されるが、変形部１６ａは、透明カバー１６の上面１６ｕの外周線１６ｕｔの一部が外側に突出して形成される突出部であってもよい。
【００２９】
図１及び図２に示す例では、変形部１６ａは、表示領域Ｐに平面視で重なるよう形成される。すなわち、変形部１６ａでは、透明カバー１６の上面１６ｕの外周線１６ｕｔが、表示領域Ｐ及びその外側の額縁領域の両方に渡って延びて形成される。これに対して、表示領域Ｐが変形部１６ａと重ならないように配置することもできる。例えば、表示領域Ｐの外周線の一部を、変形部１６ａの形状に沿って内側へ凹ませるか、又は、外側へ突出させることができる。なお、変形部１６ａは、透明カバー１６の上面１６ｕのいずれの辺に設けてもよい。また、上記例では、変形部１６ａは、１箇所のみに設けられているが、変形部１６ａを複数設けることも可能である。
【００３０】
図３Ａ及び図３Ｂに示す構成例では、表示パネル１２の画像表示面上にタッチパネル１４及び透明カバー１６が順に積層される。すなわち、タッチパネル１４は、表示パネル１２と透明カバー１６の間に、表示領域Ｐに重畳して設けられる。表示パネル１２及びタッチパネル１４は、筐体１７によって支持される。図示はしていないが、表示パネル１２の画像表示面とは反対側の面にバックライトを設けることができる。また、表示パネル１２とタッチパネル１４の間、及び、タッチパネル１４と透明カバー１６の間には、透明粘着層が設けられてもよい。また、筐体１７内には、ＣＰＵ、メモリ、カメラモジュール、通信モジュール、アンテナ、電池その他機器を構成するのに必要な部品を内蔵することができる。
【００３１】
表示パネル１２は、例えば、液晶パネルで構成することができる。液晶パネルは、アクティブマトリクス基板、対向基板、及びアクティブマトリクス基板及び対向基板の間に設けられる液晶層を備える。
【００３２】
タッチパネル１４は、透明カバー１６に対する対象物の接触又は接近を検知する。具体的には、タッチパネル１４は、透明カバー１６の上面１６ｕと、上面１６ｕの外周を形成する外周線１６ｕｔの少なくとも一部における対象物の接触又は接近を検知する。タッチパネル１４は、樹脂又はガラスで形成される透明な基板と、基板上に形成される複数の電極パッドで構成することができる。この構成において、タッチパネル１４は、基板上の電極パッド間の容量を検出する回路を備える。タッチパネル１４は、検出された容量の変化に基づいて、透明カバー１６において対象物が接触又は接近した位置を特定することができる。透明カバー１６の上面１６ｕの外周線１６ｕｔにおいても容量を発生させるように電極パッドを配置することで、外周線１６ｕｔにおける対象物を検知することができる。具体例は後述する。なお、タッチパネル１４は、このような静電容量方式に限定されない。
【００３３】
透明カバー１６は、光を透過させる材料、例えば、樹脂又はガラス等で形成することができる。図３Ａ及び図３Ｂに示す例では、上面１６ｕに接続される側面（端面）１６ｒは曲面で形成されている。このように、端面を曲面加工することで、透明カバー１６の端部、すなわち上面１６ｕと側面１６ｒとが接続される部分のエッジを滑らかにできる。また、透明カバー１６の端部のエッジは、筐体から露出している。このように、透明カバー１６の側面１６ｒの少なくとも一部を露出させ、露出している部分の対象物の接触又は接近をタッチパネル１４で検知する構成としてもよい。これにより、ユーザは、透明カバー１６の端部のエッジに触れる動作又はエッジをなぞる動作により、表示装置１を操作することができる。特に、変形部１６ａにおける側面１６ｒを露出させることで、より操作性を向上させることができる。
【００３４】
また、透明カバー１６の上面１６ｕに接続される側面１６ｒを曲面で形成することで、透明カバー１６をレンズにすることができる。例えば、表示パネル１２の表示領域Ｐから出射される光の進行方向は、側面１６ｒにおいて変更される。なお、上記例では、透明カバー１６の上面１６ｕに接続される側面１６ｒは、全て曲面で形成しているが、上面１６ｕの端部に接続される側面１６ｒのうち一部が曲面で形成される態様であってもよい。例えば、変形部１６ａの側面１６ｒのみを曲面で形成することができる。
【００３５】
図３Ａに示すように、変形部１６ａにおける透明カバー１６の上面１６ｕに接続される側面１６ｒでは、透明カバー１６の厚みが外側に行くにつれて小さくなるように形成される。このように、変形部１６ａにおいて、透明カバー１６の厚みを、上面１６ｕの領域とその外側の領域とで異ならせることで、タッチパネル１４の検出精度又は検出される容量値を、上面１６ｕとその外側とで異ならせることができる。そのため、例えば、タッチパネル１４において、変形部１６ａの位置を自動検出することや、変形部１６ａにおける検出精度を他の部分より高くすること等が可能になる。
【００３６】
図３Ａに示す例では、変形部１６ａにおいて、透明カバー１６の上面１６ｕの外周線１６ｕｔの位置は、図３Ｂに示す外周線１６ｕｔの位置より内側になっている。さらに、変形部１６ａの外周線１６ｕｔは、表示領域Ｐと重なる位置、すなわち表示領域Ｐの内側に形成されている。言い換えれば、変形部１６ａは、表示領域Ｐ内において透明カバー１６に段差を設けることで形成することができる。透明カバー１６のうち表示領域Ｐを覆う部分に対する対象物の接触又は接近は、タッチパネル１４によって検知される。そのため、表示領域Ｐ内の変形部１６ａへの対象物の接触又は接近もタッチパネル１４によって検知される。なお、図３Ａに示す例では、透明カバー１６は、変形部１６ａの側面１６ｒから筐体１７の端部（表面）まで延びて形成される。これにより、変形部１６ａの外側のタッチパネル１４及び筐体１７が透明カバー１６で覆われる。
【００３７】
（透明カバー端部の詳細な構成例）
図４は、図３Ｂに示す断面の一部を拡大した図である。図４に示す例では、タッチパネル１４は、対象物の接触又は接近を検知するための電極群として、第１電極パッド３１及び第２電極パッド３２を備えている。第１電極パッド３１及び第２電極パッド３２のうち、一方を駆動電圧が印加される駆動電極に、他方を、容量値を検出するための検出電極にすることができる。
【００３８】
表示領域Ｐの外側の額縁領域Ｃにおいて、タッチパネル１４の外縁に沿って設けられる第２電極パッド３１と筐体１７との間には、各種配線が配置される第１配線格納部１４ａが設けられる。表示パネル１２の表示領域Ｐと筐体１７との間にも、各種配線が配置される第２配線格納部１２ａが設けられる。
【００３９】
表示領域Ｐより外側、すなわち、図４に示す額縁領域Ｃにおける筐体１７又は透明カバー１６の表面と、タッチパネル１４の外縁に沿って設けられた電極パッド３１との距離ｄは、タッチパネル１４の検知可能距離以下とすることができる。検知可能距離は、タッチパネル１４が対象物の存在を検知することが可能な距離である。これにより、表示領域Ｐの外側の表示装置１の表面に対する対象物の接触または接近を検知することができる。
【００４０】
また、上記の距離ｄは、表示パネル１２と垂直方向で、かつ、タッチパネル１４（具体的には第１電極パッド３１および第２電極パッド３２）と透明カバー１６の上面１６ｕとの距離ｄ１以下とすることができる。これにより、表示領域Ｐの外側の表示装置１の表面に対する対象物の接触または接近をより確実に検知することができる。
【００４１】
なお、筐体１７及び透明カバー１６の構成は、図４に示した例に限られない。図５は、筐体１７及び透明カバー１６の変形例を示す断面図である。例えば、図４に示す例では、透明カバー１６は、筐体１７の端面まで延びて形成されるが、図５に示すように、透明カバー１６を、筐体１７の内側に配置することもできる。この場合も、電極パッド３１と、表示領域Ｐより外側の透明カバー１６又は筐体１７の表面、すなわち、図５に示す領域Ｂにおける表示装置１の表面との距離ｄを、検知可能距離以下又は距離ｄ１以下にすることができる。
【００４２】
図６は、筐体１７及び透明カバー１６の他の変形例を示す断面図である。図６に示す例では、透明カバー１６の上面１６ｕの外周に接続される側面１６ｒは、曲面でなく、表示面に垂直な平面となっている。また、透明カバー１６の上面１６ｕに接続される側面１６ｒは筐体１７によって支持される。この場合、タッチパネル１４の外縁に沿って設けられた電極パッド３１と、表示領域Ｐより外側の筐体１７の表面（すなわち、図６に示す領域Ａ）との距離ｄを、検知可能距離以下又は距離ｄ１以下にすることができる。
【００４３】
なお、透明カバー１６の端部における対象物の接触又は接近の検知を可能とする構成は、上記例に限定されない。例えば、表示領域Ｐに重畳して設けられる電極パッド群とは別に、透明カバー１６の端部に沿って電極パッド群を配置し、この電極パッド間の容量を検出する構成としてもよい。
【００４４】
上記図４〜図６の例では、タッチパネル１４による表示装置１の端部における検出機能の観点から、表示装置１の端部の構成を設計している。この構成に加えて、さらに下記のように、透明カバー１６の端部形状を設計することができる。以下に示す例は、額縁領域における表示性能の観点から、表示装置１の端部の構成を設計するものである。
【００４５】
図４に示すように、透明カバー１６は、表示領域Ｐとその外側の額縁領域Ｃとの境界を跨ぐように配置されたレンズ部Ｌを有する。この例では、レンズ部Ｌは、透明カバー１６の上面１６ｕに接続される側面１６ｒを曲面にすることで形成されている。なお、表示領域Ｐとその外側の額縁領域Ｃとの境界は、ｙ方向（第１の方向）に延びている。レンズ部Ｌは、表示領域Ｐから出射された光の一部を額縁領域Ｃの側に屈折させることで、額縁領域Ｃが見え難くなり、筐体の端まで、画像を表示することができる。また、ｙ方向に垂直な平面とレンズ部Ｌの観察者側表面すなわち側面１６ｒとの交線は円弧ではない曲線とすることで、レンズ部Ｌは、表示領域Ｐにおける複数の画素から出射された光のｙ方向に垂直な平面におけるピッチを略等しくするように光を屈折させ、表示する画像歪みを低減することができる。
【００４６】
図７に、透明カバー１６の斜視図を示す。図７に示すように、レンズ部Ｌの観察者側表面１６ｒすなわち側面１６ｒと、第１の方向（Ｄ１）に垂直な平面との交線Ｌ１は円弧ではない曲線である。
【００４７】
レンズ部Ｌは第１の方向Ｄ１に延びる稜線を有している。ここで、稜線の延びる方向を表示パネル１２の画素列、すなわちカラーフィルタ列と略垂直とすることによって、モアレの発生を抑制することができる。
【００４８】
ここでは、透明カバー１６の上面１６ｕに覆われる部分を平板部１６ｈとする。表示領域Ｐのうち平板部１６ｈに覆われる領域を中央表示領域とし、レンズ部Ｌに覆われる領域を周辺表示領域とする。平板部１６ｈの観察者側表面が上面１６ｕであり、表示パネル１２の表示面と略平行である。中央表示領域に配列された画素から出て平板部１６ｈに入射した光は、平板部１６ｈ内を表示パネル１２の表示面に垂直な方向に直進し、観察者側に出射される。
【００４９】
表示パネル１２の周辺表示領域から出射された光は、レンズ部Ｌに入射し、額縁領域Ｃにおいてレンズ部Ｌから観察者側に向けて出射される。レンズ部Ｌから出射される光は、表示面に垂直な方向に屈折する。このようにして、表示パネル１２の周辺表示領域から出射された光が屈折することにより、額縁領域Ｃの前面に画像が表示される。従って、額縁領域Ｃが見え難くなる。
【００５０】
（透明カバーの変形例）
透明カバー１６を着脱可能とすることができる。図８Ａは、透明カバー１６を着脱可能とする場合の表示装置１の構成例を示す断面図である。図８Ｂは、図８Ａに示す構成において、透明カバー１６を取り外した状態を示す図である。図８Ａに示す例では、表示パネル１２及びタッチパネル１４を覆う前面板１５がさらに設けられる。前面板１５は、透明な部材で形成され、表示パネル１２の表示領域Ｐに重畳して設けられる。透明カバー１６は、前面板１５に対して着脱可能である。この例では、前面板１５は、タッチパネル１４や表示パネル１２を保護する役割も果たす。前面板１５の材料としては、例えば、アクリルやポリカーボネート等の透明樹脂や強化ガラスなどが用いられる。
【００５１】
装着時に透明カバー１６が動かないように、爪構造又は粘着剤（図示せず）等で、透明カバー１６を筐体１７に固定することができる。また、装着された透明カバー１６の形状を、タッチパネル１４が認識する構成にすることもできる。透明カバー１６が前面板１５に装着されると、透明カバー１６が乗った部分の容量が変化する。タッチパネル１４は、この容量変化を検出することによって、透明カバー１６の形状を認識することができる。
【００５２】
例えば、表示装置１は、透明カバー１６が取り付けられていない状態でタッチパネル１４により測定された容量値の分布をメモリに記録しておく。表示装置１のＣＰＵは、透明カバー１６が取り付けられたことを検出すると、タッチパネル１４に対して、透明カバー１６の形状を認識するよう命令する。タッチパネル１４は、透明カバー１６が取り付けられた状態で、容量値の分布を測定する。ＣＰＵは、透明カバー１６が取り付けられた状態で測定された容量値の分布と、メモリに記録された容量値の分布との差分を算出する。ＣＰＵは、算出された差分に基づいて変形部の位置を決定することができる。ＣＰＵは、例えば、表示装置１で実行されるアプリケーションの設定を、変形部へのタッチによる入力が可能な設定に自動的に切り替えることができる。このように、表示装置１が、透明カバー１６の形状を自動認識して、表示装置で実行されるアプリケーションプログラムの動作設定を自動的に更新することにより、ユーザの負担を軽減することができる。
【００５３】
＜実施形態２＞
図９は、実施形態２における表示装置１の斜視図である。図１０は、図９に示す表示装置１の平面図である。図１１Ａは、図９及び図１０に示す表示装置１のＡ−Ａ線断面図である。図１１Ｂは、図９及び図１０に示す表示装置１のＢ−Ｂ線断面図である。なお、実施形態２として以下に説明する構成以外の構成については、実施形態１と同様の構成を適用することができる。
【００５４】
図９、図１０、図１１Ａ及び図１１Ｂに示す例では、筐体１７の透明カバー１６の変形部１６ａに対応する部分は、変形部１６ａの形状に沿って内側へ凹んでいる。表示面に垂直な方向から見た表示装置１の形状は、透明カバー１６の形状と同じになっている。すなわち、平面視で、筐体１７の形状と透明カバー１６の形状が同じになっている。
【００５５】
図９、図１０、図１１Ａ及び図１１Ｂに示す例では、表示パネル１２の表示領域Ｐは、表示装置１の形状に沿って凹んだ形状を有している。すなわち、表示領域Ｐは、変形部１６ａの形状に沿って内側へ凹んでいる。これにより、表示領域Ｐを筐体１７の端部に沿った形状とすることができ、額縁領域を小さくすることができる。なお、表示領域Ｐは、必ずしも変形部１６ａの形状に沿った形状にする必要はなく、例えば、長方形であってもよい（図１３〜図１６を用いて具体例を後述）。
【００５６】
タッチパネル１４は、透明カバー１６に沿った形状にすることができる。例えば、図１０に破線で示される表示領域Ｐに沿ってタッチパネル１４の外縁を形成することができる。具体例として、タッチパネル１４の電極パッドを、表示領域Ｐと同じ領域に配置することができる。これにより、透明カバー１６の外縁の形状に沿ってタッチパネル１４が形成される。そのため、透明カバー１６の端部とタッチパネル１４の電極パッドとの距離を一定の範囲内に保ち、端部における検出精度を保つことができる。例えば、透明カバー１６の上面１６ｕの外周線１６ｕｔのエッジからタッチパネル１４の電極パッドが離れることにより、極端に感度が落ちるのを抑えることができる。なお、例えば、感度低下が許容できる場合等は、タッチパネル１４を、透明カバー１６に沿った形状でなく、例えば、長方形等に形成することができる。
【００５７】
図１２は、図１０における変形部１６ａ周辺の拡大図である。図１２は、変形部１６ａ近傍の、表示パネル１２の構成例を示している。図１２に示す例では、表示パネル１２の表示領域Ｐは、表示装置１の形状、すなわち筐体１７の外形に沿って凹んだ形状である。表示パネル１２の端部は、変形部１６ａにおいて、筐体１７の内側への凹みに沿って、内側へ凹んで形成される。すなわち、表示パネル１２の外形（厳密には表示パネル１２を構成するガラス基板の外形）が、変形部１６ａの凹みに沿って内側へ凹んでいる。
【００５８】
表示パネル１２は、１つの方向（図面におけるたて方向）に延びる複数のソース線Ｓ（データ線、又は信号線とも称される）と、ソース線Ｓと交わる方向（図面における横方向）に延びる複数のゲート線Ｇ（制御線とも称される）を備える。ソース線Ｓとゲート線Ｇとの交点に対応する位置に、それぞれ画素Ｈが配置される。変形部１６ａにおいて、ソース線Ｓは、表示パネル１２の内側への凹みに沿って、内側へ寄せられて配置される。ゲート線Ｇは、変形部１６ａにおいて、表示パネル１２の凹みに応じて短くなっている。
【００５９】
このため、変形部１６ａにおいて、表示パネル１２が内側へ凹んでいる部分では、ゲート線Ｇと交わらないソース線Ｓが存在する。そのようなソース線Ｓの領域では、画素は形成されない。ゲート線Ｇと交わらないソース線Ｓの配線間隔を狭くすることで、表示装置１の額縁幅を狭くことができる。指で触って操作ができる透明カバー１６の変形部１６ａと、表示領域Ｐとの距離を小さくすると、よりユーザの操作感を高めることができる。
【００６０】
（変形例）
図１３、図１４、図１５、及び図１６は、図９及び図１０に示す表示装置１の変形例を示す透視平面図である。図１３〜図１６において、表示パネル１２の外形は破線で、タッチパネル１４の外形は実線で示している。また、透明カバー１６の上面１６の外周線１６ｕｔの変形部１６ａの位置を点線で示している。図１３〜図１６に示す例では、いずれも、表示パネル１２は、長方形で形成される。タッチパネル１４は、筐体１７の外形に沿った形状になっている。なお、図１３〜図１６に示す変形部１６ａの形状は、上記実施形態１及び後述の実施形態３、４にも適用できる。
【００６１】
図１３に示す例では、変形部１６ａの凹みは、表示面に垂直な方向から見て内側へ凹む曲線になるように形成される。タッチパネル１４及び筐体１７の凹みも、変形部１６ａの凹みの曲線に沿った曲線になっている。このように、表示装置１の端面の変形部１６ａに対応する部分を曲面で構成することにより、変形部１６ａをなぞるユーザの操作感覚を自然なものにすることができる。
【００６２】
図１４に示す例では、変形部１６ａの凹みの形状は、表示面に垂直な方向から見て、三角形になっている。タッチパネル１４及び筐体１７の凹みも、変形部１６ａの凹みに沿って三角形である。図１５に示す例では、変形部１６ａの凹みの形状は矩形になっている。タッチパネル１４及び筐体１７の凹みも、変形部１６ａの凹みに沿って矩形である。図１４及び図１５に示す例では、表示装置１の端面の変形部１６ａに対応する部分を平面で構成することができる。
【００６３】
図１６は、透明カバー１６の端部が外側に突出して変形部１６ａを形成する場合の例を示す。この例では、タッチパネル１４及び筐体１７も変形部１６ａに沿って外側に突出している。
【００６４】
＜実施形態３＞
図１７は、実施形態３における表示装置１の透視平面図である。図１７では、表示面に垂直な方向から見た場合の透明カバー１６及びタッチパネル１４の電極群の構成が模式的に示されている。図１７において、透明カバー１６の上面１６の外周線１６ｕｔの変形部１６ａの位置を点線で示している。なお、実施形態２として以下に説明する構成以外の構成については、実施形態１、実施形態２またはこれらの組み合わせの構成を適用することができる。
【００６５】
図１７に示す例では、タッチパネル１４は、１の方向（本例では、図面の横方向）に並ぶ複数の第１電極パッド３１ａ、３１ｂと、この方向とは異なる他の方向（本例では、図面の縦方向）に並ぶ複数の第２電極パッド３２ａ、３２ｂを備える。第１電極パッド３１ａと第２電極パッド３２ａとは互いに隣り合うよう配置される。なお、図１７では、第１電極パッド３１ａと第２電極パッド３２ａとの間の隙間を省略している。実際には、隣り合う第１電極パッド３１ａと第２電極パッド３２ａとは、電気的に接続されておらず、絶縁されている。第１電極パッド３１ａ、３１ｂと第２電極パッド３２ａ、３２ｂは、表示面に垂直な方向から見て透明カバー１６と重なる位置に配置される。タッチパネル１４は、第１電極パッド３１ａと第２電極パッド３２ａとの間の容量を検出することにより、透明カバー１６に対する対象物の接触又は接近を検知することができる。
【００６６】
図１７に示す例では、変形部１６ａが形成される辺に沿う領域Ｆ２における第１電極パッド３１ｂ及び第２電極パッド３２ｂの形状及びピッチは、それ以外の領域Ｆ１の第１電極パッド３１aと第２電極パッド３２ａの形状及びピッチと異なっている。具体的には、領域Ｆ２の第１電極パッド３１ｂ及び第２電極パッド３２ｂの大きさ及びピッチは、いずれも、領域Ｆ１の第１電極パッド３１a及び第２電極パッド３２ａより小さい。
【００６７】
図１８は、図１７に示す表示装置１の変形例を示す透視平面図である。図１８に示す例では、タッチパネル１４の外周の４辺のうち変形部１６ａが設けられる辺（図では左辺）の一部に沿う領域において、電極パッド３１、３２の構成が他の領域と異なっている。すなわち、タッチパネル１４の左辺に沿う領域のうち変形部１６ａと重なる部分において、電極パッド３１、３２の構成が他の領域と異なっている。
【００６８】
図１９は、大きさ及びピッチが異なる電極パッド３１、３２の詳細な構成例を示す図である。図１９に示す例では、複数の矩形の電極パッド３１ａ、３１ｂ、３２ａ、３２ｂが行と列を有するマトリクス状に配置される。ｘ方向に並んで配置される複数の第１電極パッド３１ａ、３１ｂが行を構成する。ｙ方向に並んで配置される複数の第２電極パッド３２ａ、３２ｂが列を構成する。各行の電極パッド３１ａ、３１ｂは、第１配線４１ａ、４１ｂによって接続され、表示領域Ｐの外（図示せず）へ引き出される。各列の第２電極パッド３２ａ、３２ｂは、第２配線４２ａ、４２ｂによって接続され、表示領域Ｐの外へ引き出される。
【００６９】
領域Ｆ３における電極パッド３１ｂ、３２ｂで構成されるマトリクスの行間隔及び列間隔は、他の領域の電極パッド３１ａ、３２ｂで構成されるマトリクスの行間隔及び列間隔と異なっている。具体的には、領域Ｆ３における電極パッド３１ｂ、３２ｂの大きさ及びピッチは、他の領域の電極パッド３１ａ、３２ａの大きさ及びピッチより小さくなっている。そのため、領域Ｆ３における配線４１ａ、４１ｂ、４２ａ、４２ｂの間隔も他の領域の配線４１ａ、４２ａより小さくなり、密度が高くなっている。
【００７０】
領域Ｆ３において連続して配置される複数の第１配線４１ａ、４１ｂにおける一部の配線（本例では２本に１本の配線）は、他の領域の第１配線４１ａの延長線になっている。同様に、領域Ｆ３において連続して配置される複数の第２配線４２ａ、４２ｂにおける一部の配線（本例では２本に１本の配線）は、他の領域の第２配線４２ａの延長線になっている。
【００７１】
このように、変形部１６ａを含む領域と、それ以外の領域とで、電極パッドの形状又はピッチを異ならせることで、変形部１６ａを含む領域及びそれ以外の領域、それぞれにおいて、対象物の接触又は接近の検知に適した電極パッド構成にすることができる。例えば、変形部１６ａにおいては、ユーザの指の細かい動きも検出できるよう電極パッドを構成するとともに、それ以外の画像が表示される領域においては、ユーザの指が透明カバー１６に接触しなくても一定の距離より近づいたことを検知できるよう電極パッドを構成することができる。
【００７２】
以下、これによる効果について説明する。図２０Ａは、透明カバー１６上の指の動きを検知する場面の一例を示す図である。図２０Ａに示す例では、タッチパネル１４は、隣接する電極パッド３１a、３２ａ間の容量を検出することにより、指の存在を認識する。そのため、指の移動Ｍ１の距離が、透明カバー１６の上面１６ｕ上で、隣接する電極パッド３１a、３２ａ間の距離Ｐ１と電極パッドの幅Ｗ１との和（Ｐ１＋Ｗ１）、すなわちピッチ程度であれば、指の動きが検知される。言い換えれば、Ｐ１＋Ｗ１以下の距離の指の動きは検出できない場合がある。
【００７３】
図２０Ｂは、電極パッド３１ｂ、３２ｂの幅Ｗ２及び電極パッド３１ｂ、３２ｂ間の距離Ｐ２が、図２０Ａに示す例よりも短い場合の例を示す図である。この場合、図２０Ａよりも短い指の移動Ｍ２を検出することができる。このように、電極パッド３１、３２のピッチを短くすると、より細かい指の動きを検出することが可能になる。一方、電極パッド３１、３２のピッチが大きい方が、検知可能距離は長くなる傾向がある。例えば、電極パッド３１、３２が形成される面に垂直な方向における検出可能距離は、図２０Ａに示す構成の方が図２０Ｂに示す構成より大きくなる。すなわち、ピッチが大きい方が、透明カバー１６の厚み方向の感度は向上する傾向になる。
【００７４】
図２１は、図１７又は図１８に示す表示装置１の変形部１６ａ付近の断面図である。図２１に示す例では、透明カバー１６の右端から一定の距離の領域Ｆ２における電極パッド３１、３２のピッチ（Ｗ２＋Ｐ２）は、それより内側の領域Ｆ１におけるピッチ（Ｗ１＋Ｐ１）より小さくなっている。例えば、Ｗ１及びＰ１を５ｍｍ、Ｗ２及びＰ２を１ｍｍとすることができる。
【００７５】
透明カバー１６の上面１６ｕと側面１６ｒの境界すなわち外周線１６ｕｔは、領域Ｆ２の中にある。そのため、外周線１６ｕｔ及び外周線１６ｕｔより外側の側面１６ｒにおいては、対象物の動きの検知精度が、上面１６ｕの中央部より高くなる。すなわち、外周線１６ｕｔ付近に接触するユーザの指の細かい動きが検出可能となる。
【００７６】
一方、外周線１６ｕｔ付近とその外側では、検知可能距離が短くなり、厚み方向の感度が低下する。しかし、この部分では、透明カバー１６の厚みも薄くなっているので、厚み方向の感度低下による影響は少なくなる。
【００７７】
上面１６ｕの部分は、側面１６ｒの部分に比べて透明カバー１６の厚みが大きい。そのため、上面１６ｕの内側の領域Ｆ１においては、電極パッド３１、３２のピッチを広く設計している。これにより、厚みの大きい上面１６ｕの領域においては、厚み方向の感度を高くすることができる。
【００７８】
＜実施形態４＞
図２２は、実施形態４における表示装置１の構成例を示す機能ブロック図である。図２２に示す例では、表示装置１は、表示パネル１２、表示パネル駆動部２２、タッチパネル１４、タッチパネル駆動部２４、及び表示制御部３０を備える。表示パネル１２は、上記実施形態１〜３の表示パネル１２のいずれかと同様の構成とすることができる。タッチパネル１４は、上記実施形態１〜３の表示パネル１２のいずれかまたは下記の変形例の構成とすることができる。
【００７９】
表示パネル駆動部２２は、表示パネル１２のソース線及びゲート線へそれぞれ信号を供給するソースドライバ及びゲートドライバとすることができる。タッチパネル駆動部２４は、タッチパネル１４の検出電極及び駆動電極を制御するＴＰコントローラ（タッチパネルコントローラ）とすることができる。これら表示パネル駆動部２２及びタッチパネル駆動部２４は、例えば、パネルに接続されるＦＰＣ（図示せず）上に設けられる半導体チップ（図示せず）で構成することができる。
【００８０】
表示制御部３０は、タッチパネル１４で検知された対象物の接触又は接近に基づいて、表示パネル１２で表示する画像を制御する。表示制御部３０は、タッチパネル１４から対象物の位置情報を取得し、対象物の位置情報に基づいて表示する画像を決定し、画像データを表示パネル１２へ出力する。表示制御部３０は、例えば、画像処理専用のプロセッサ、ＣＰＵ又はこれらの組み合わせで構成することができる。
【００８１】
表示制御部３０は、透明カバー１６の変形部１６ａにおいて検知された対象物の接触又は接近に応じた画像を、表示領域Ｐの変形部１６ａに対応する箇所に表示させる。図２３Ａ、図２３Ｂ及び図２３Ｃは、変形部１６ａにおいて検知された指の接触に応じた画像の表示例を示す図である。
【００８２】
図２３Ａに示す例では、変形部１６ａにおける透明カバー１６の端部の凹みの曲線に沿った形状の画像オブジェクトＯＢ１が表示される。この画像オブジェクトＯＢ１は、例えば、表示装置１の出力音量又は画面の明るさ等のボリュームを表すことができる。画像オブジェクトＯＢ１とともに、ボリュームの値「５」も表示される。また、透明カバー１６の端部の凹みにおける指の移動量に応じて画像オブジェクトＯＢ１の大きさとボリュームの値が変化するよう表示することもできる。これにより、ユーザは、透明カバー１６の変形部１６ａを指でなぞる動作により、ボリュームを調整することができる。
【００８３】
この場合、表示制御部３０は、変形部１６ａにおける透明カバー１６の上面１６ｕの外周線１６ｕｔまたは側面１６ｒに沿う対象物の動きの方向と動きの量を、タッチパネル１４で検知される位置情報に基づいて決定することができる。表示制御部３０は、対象物の動きの方向に応じてボリュームの上げ下げを判断し、対象物の動きの量に応じてボリュームの変更量を判断する。表示制御部３０は、この判断結果に基づいて、画像オブジェクトＯＢ１を更新するとともに、表示装置１に、ボリュームの変更処理を実行させる。
【００８４】
図２３Ｂに示す例では、変形部１６ａにおける透明カバー１６の端部の凹みの曲線に沿った形状の画像オブジェクトＯＢ２が表示される。画像オブジェクトＯＢ３は、この画像オブジェクトＯＢ２の上を、指の位置に応じて移動するように表示される。これらの画像オブジェクトＯＢ２、ＯＢ３は、例えば、画面のスクロールバーとして表示することができる。すなわち、ユーザが指を変形部１６ａの形状に沿って動かすと、指の動いた方向に、指の移動量に応じた量だけ、画面をスクロールさせることができる。これにより、ユーザは、透明カバー１６の変形部１６ａを指でなぞって画面をスクロールすることができる。
【００８５】
この場合も、表示制御部３０は、変形部１６ａにおける対象物の移動の向きと移動量を、タッチパネル１４で検知される位置情報に基づいて決定することができる。そして、表示制御部３０は、対象物の移動の向きに応じて、画面をスクロールする向きを判断し、対象物の移動量に応じてスクロール量を判断する。表示制御部３０は、この判断結果に基づいて、画像オブジェクトＯＢ２、ＯＢ３を更新するとともに、画面をスクロールさせる。
【００８６】
図２３Ｃに示す例では、変形部１６ａにおける透明カバー１６の端部の凹みに沿って複数の画像オブジェクトＯＢ４〜ＯＢ８が表示される。複数の画像オブジェクトＯＢ４〜ＯＢ８それぞれの表示態様は、変形部１６ａにおける指の位置に応じて変更することができる。例えば、指に最も近くにある画像オブジェクトを着目態様で表示することができる。着目態様は、画像オブジェクトを通常の表示状態とは区別して表示する場合の表示態様とすることができる。例えば、アイコンのような画像オブジェクトが、ユーザによって選択された状態であることを示す選択状態の表示態様は、着目態様の一例である。
【００８７】
図２３Ｃに示す例では、指の位置に最も近い画像オブジェクトＯＢ６が、最も大きく、すなわち着目態様で、表示されている。また、指の位置からの距離に応じて画像オブジェクトの大きさを調整して表示している。このような画像オブジェクトＯＢ４〜ＯＢ８の表示は、ファイル、ページ又はフォルダ等のコンテンツオブジェクトの選択操作に用いることができる。例えば、ユーザは、透明カバー１６の変形部１６ａを指でなぞって画像オブジェクトを選択（例えば、ファイルを選択）し、選択した状態でタップすることで画像オブジェクトに関するアクションを指示（例えば、ファイルを開くアクションを指示）することができる。
【００８８】
この場合、表示制御部３０は、変形部１６ａにおける対象物の位置及び動作を、タッチパネル１４で検知される位置情報に基づいて決定することができる。そして、表示制御部３０は、対象物の位置及び動作に応じて、選択するべき画像オブジェクト及びアクションを判断することができる。表示制御部３０は、この判断結果に基づいて、画像オブジェクトＯＢ４〜ＯＢ８を更新するとともに、アクションを表示装置１に実行させる。
【００８９】
上記の図２３Ａ〜図２３Ｃに示される例のように、変形部１６ａの形状に沿った形状の画像オブジェクト、又は変形部１６ａの形状に沿って配置される画像オブジェクトの表示が可能である。また、変形部１６ａにおける対象物の位置、移動方向、移動量、移動速度、又は動作の少なくとも１つに応じて、画像オブジェクトの表示態様を制御するか、又は、対応する処理を実行することが可能である。なお、上記の図２３Ａ〜図２３Ｃに示される例の場合に、変形部１６ａにおけるタッチパネルの電極を細かく形成することができる。これにより、変形部１６ａにおいて、指の細かい動きが検出可能になり、操作性を向上させることができる。
【００９０】
上記の図２３Ａ〜図２３Ｃに示される例のようなユーザインターフェースを実現するために、表示制御部３０は、下記のように構成することができる。図２４は、表示制御部３０の構成例を示す機能ブロックである。図２４に示す例では、表示制御部３０は、位置取得部３０１、操作判定部３０２、動作制御部３０３、及び表示更新部３０４を備える。
【００９１】
位置取得部３０１は、タッチパネル１４で検出された対象物の位置情報を、タッチパネル１４から取得する。位置取得部３０１は、例えば、タッチパネル駆動部２４から、各検出電極の容量変化を示す検知信号を受信することにより、対象物の位置情報を取得することができる。
【００９２】
操作判定部３０２は、位置取得部３０１が取得した位置情報に基づいて、変形部１６ａへの操作の有無を判断する。例えば、対象物の位置情報が、変形部１６ａの領域内の位置を示す場合に、変形部１６ａへの操作があると判断することができる。変形部１６ａの領域を示すデータは、予め記録しておいてもよいし、変形部１６ａの形状をタッチパネル１４が認識することで得ることができる。
【００９３】
操作判定部３０２は、位置取得部３０１が取得した位置情報を用いて、対象物の位置情報を用いて変形部１６ａに対する操作を決定する。例えば、操作判定部３０２は、変形部１６ａにおける対象物の位置、移動方向、移動量、移動速度、又は動作の種類の少なくとも１つを、変形部１６ａの操作として決定することができる。動作の種類としては、例えば、タップ操作、複数個所に対するタップ操作、スライド操作等が挙げられるが特定のものに限定されない。
【００９４】
動作制御部３０３は、操作判定部３０２が決定した操作にしたがって、表示装置１の動作を制御する。例えば、動作制御部３０３は、操作判定部３０２が決定した操作に対応するアクションを表示装置１に実行させることできる。動作制御部３０３は、例えば、操作とアクションとを対応付けたデータを参照して、アクションを決定することができる。
【００９５】
表示更新部３０４は、操作判定部３０２が決定した操作にしたがって、表示する画像を更新する。例えば、表示更新部３０４は、変形部１６ａに対応する位置に表示される画像オブジェクトの表示態様を操作に応じて更新することができる。
【００９６】
なお、表示制御部３０の構成は、図２４に示す例に限れない。例えば、動作制御部３０３を省略する構成とすることもできる。また、コンピュータを、上記の位置取得部３０１、操作判定部３０２、及び表示更新部３０４を備える表示装置として機能させるためのプログラム及びそのようなプログラムを記録した非一時的な(non-transitory)記録媒体も、本発明の実施形態に含まれる。
【００９７】
図２５は、図２４に示す表示制御部３０による動作例を示すフローチャートである。図２５に示す例では、タッチパネル１４が指等の接触または接近を検知すると、位置取得部３０１が指の位置情報を取得する（Ｓ１）。操作判定部３０２は、変形部１６ａに対する操作の有無を判断する（Ｓ２）。変形部１６ａに対する操作であると判断された場合、操作判定部３０２は、変形部１６ａに対してどのような操作が行われたかを決定する（Ｓ３）。動作制御部３０３は、その判定結果に従って所定の機能の動作制御を行う（Ｓ４）。表示更新部３０４は、判定結果に従った表示パネル１２への画像表示制御を行う。
【００９８】
変形部１６ａの形状によりユーザによる操作の範囲がある程度限定される。そのため、上記の動作例において、変形部１６ａに対する操作を認識する処理が、単純かつ正確になる。また、ユーザにとっても、操作箇所が分かりすく、誤入力が発生しにくい。例えば、ユーザは、表示画面を注視しなくても意図した操作を正確に行うことができる。極端な場面では、ユーザは、ポケットに表示装置１を入れたまま状態で、ポケットに手を入れて表示装置１を見ずに意図する操作が可能になるかもしれない。
【００９９】
（変形部１６ａの変形例）
変形部１６ａは、透明カバー１６の上面１６ｕの外周線１６ｕｔの一部ではなく、外周線１６ｕｔの内側に設けられる内周線により形成することもできる。
【０１００】
図２６は、透明カバー１６の中央部に、上面１６ｕの内周で形成される変形部１６ａを設けた場合の構成例を示す図である。図２７は、図２６に示す表示装置１の平面図である。図２８は、図２７に示す表示装置１のＡ−Ａ線断面図である。透明カバー１６は、画像の表示面に平行な上面１６ｕと、上面１６ｕに接続される側面１６ｒを有する。側面１６ｒは、上面とは平行でない面である。側面１６ｒは、上面１６ｕの外周線１６ｕｔの内側にも設けられる。上面１６ｕの外周線１６ｕｔの内側の内周線１６ｕｘが、変形部１６ａとなっている。ここで、内周線１６ｕｘは、上面１６ｕと側面１６ｒとの境界線である。
【０１０１】
図２６〜図２８に示す例では、透明カバー１６の中央部において、透明カバー１６の表面が、画像の表示面に垂直な方向に凹んでいる。すなわち、上面１６ｕの内周線１６ｕｘである変形部１６ａを縁とする凹部が形成される。この例では、変形部１６ａの内側の領域では、透明カバー１６の厚みが、上面１６ｕの領域よりも薄くなっている。変形部１６ａは、表示面に垂直な方向から見て円形に形成される。
【０１０２】
なお、変形部１６ａは凹部に限られない。例えば、変形部１６ａにおいて透明カバー１６の表面が表示面に垂直な方向に突出する構成であってもよい。または、透明カバー１６の上面１６ｕの外周線の内側に設けられた開口部（穴）を変形部１６ａとすることもできる。さらに、上記実施形態２のように、透明カバー１６の変形部１６ａの形状に合わせて、表示装置１の外形を形成することもできる。例えば、透明カバー１６の上面１６ｕの外周線の内側において、表示装置１を貫通する穴を設け、この穴を変形部１６ａとすることができる。
【０１０３】
図２６〜図２８に示す例では、変形部１６ａは、表示面に垂直な方向において表示領域Ｐと重なる位置に設けられる。これにより、表示領域Ｐに重なる位置に設けられたタッチパネル１４の電極によって、変形部１６ａにおける対象物の接触又は接近を検知することができる。
【０１０４】
図２９〜図３２は、図２６に示す表示装置の変形例を示す図である。図２９に示す例では、変形部１６ａは、長方形に形成される。図３０に示す例では、変形部１６ａは、円形の凹部の中に、凹部の円より半径が小さい円の形状で突出部が設けられている。この形状では、変形部１６ａが形成する円により正確に沿って対象物を動かす動作が容易になる。図３１に示す例では、変形部１６ａは、十字型に形成される。図３０に示す例では、変形部１６ａは、花形に形成される。これにより表示装置１の審美性を向上させることができる。
【０１０５】
図３３、図３４、図３５は、それぞれ、図２３Ａ、図２３Ｂ、図２３Ｃに示す画像の表示例を、図２６〜図２８に示す表示装置１に適用した場合の表示例を示す図である。図３３に示す例では、変形部１６ａの円の一部に沿った形状の画像オブジェクトＯＢ１が表示される。図３４に示す例では、変形部１６ａの円の一部に沿った形状の画像オブジェクトＯＢ２と、画像オブジェクトＯＢ２の上を、指の移動に応じて移動する画像オブジェクトＯＢ３が表示される。図３５に示す例では、図３５に示す例では、変形部１６ａの円の一部に沿って複数の画像オブジェクトＯＢ４〜ＯＢ８が表示される。
【０１０６】
図３６は、変形部１６ａの内側の領域における対象物の動きに応じて、カーソルの位置を変化させる場合の例を示す図である。図３６に示す例では、表示制御部３０は、変形部１６ａの内側の領域で検知されたユーザの指の移動方向及び移動距離に応じて、変形部１６ａの外に表示されるカーソルの位置を更新することができる。なお、変形部１６ａの内側の領域に、指の動きに応じた画像を表示することもできる。
【０１０７】
上記のような、上面１６ｕの外周線１６ｕｔの内側に設けられる内周線１６ｕｘにより変形部１６ａを形成する構成は、例えば、上記実施形態３にも適用することができる。
【０１０８】
以上、本発明の実施形態について説明したが、本発明の実施形態は、上記実施形態１〜４に限られない。例えば、上記実施形態では、投影型静電タッチパネル付表示モジュールに本発明を適用する場合について説明した。しかし、タッチパネルは、静電容量方式に限定されない。抵抗膜方式その他の方式のタッチパネルにおいて、検出不可能位置が発生し得るものに、本発明を適用することができる。また、表示パネルは、液晶パネルに限定されない。表示パネルは、例えば、有機ＥＬディスプレイ、プラズマディスプレイ、或は、電気泳動又はＭＥＭＳを用いたディスプレイなどであってもよい。
【０１０９】
なお、上記実施形態に記載の表示装置を含む各種電子機器も、本発明の実施形態に含まれる。例えば、スマートフォン、携帯電話、タブレット端末、ゲーム機、汎用コンピュータ、各種機器のリモートコントローラ、デジタルカメラ、ビデオカメラ、車載パネル、カーナビゲーション装置、テレビジョン装置、ＡＴＭ、電子掲示板、電子案内板、電子白板、等に本発明の表示装置を適用することができる。このような各種電子機器は、上記実施形態１〜４の表示装置１を搭載することで、電子機器の用途に合った適切なユーザインターフェースを有するタッチパネルを備えることができる。すなわち、電子機器の操作性が向上する。
【符号の説明】
【０１１０】
１  表示装置
１２  表示パネル
１４  タッチパネル
１６  透明カバー
１６ａ  変形部
１７  筐体
３０  表示制御部
Ｐ  表示領域
【図１】
2017107252.tif 000003
【図２】
2017107252.tif 000004
【図３Ａ】
2017107252.tif 000005
【図３Ｂ】
2017107252.tif 000006
【図４】
2017107252.tif 000007
【図５】
2017107252.tif 000008
【図６】
2017107252.tif 000009
【図７】
2017107252.tif 000010
【図８Ａ】
2017107252.tif 000011
【図８Ｂ】
2017107252.tif 000012
【図９】
2017107252.tif 000013
【図１０】
2017107252.tif 000014
【図１１Ａ】
2017107252.tif 000015
【図１１Ｂ】
2017107252.tif 000016
【図１２】
2017107252.tif 000017
【図１３】
2017107252.tif 000018
【図１４】
2017107252.tif 000019
【図１５】
2017107252.tif 000020
【図１６】
2017107252.tif 000021
【図１７】
2017107252.tif 000022
【図１８】
2017107252.tif 000023
【図１９】
2017107252.tif 000024
【図２０Ａ】
2017107252.tif 000025
【図２０Ｂ】
2017107252.tif 000026
【図２１】
2017107252.tif 000027
【図２２】
2017107252.tif 000028
【図２３Ａ】
2017107252.tif 000029
【図２３Ｂ】
2017107252.tif 000030
【図２３Ｃ】
2017107252.tif 000031
【図２４】
2017107252.tif 000032
【図２５】
2017107252.tif 000033
【図２６】
2017107252.tif 000034
【図２７】
2017107252.tif 000035
【図２８】
2017107252.tif 000036
【図２９】
2017107252.tif 000037
【図３０】
2017107252.tif 000038
【図３１】
2017107252.tif 000039
【図３２】
2017107252.tif 000040
【図３３】
2017107252.tif 000041
【図３４】
2017107252.tif 000042
【図３５】
2017107252.tif 000043
【図３６】
2017107252.tif 000044